(57)【要約】デジタルデータを記憶し読み込む光ディスク及びその光ディスクを保護するシステムと方法を開示する。光ディスクは片方または両方の表面に突出部と浮き上がり部を有する。光ディスクがテーブル上やデスク上等のほぼ平らな表面上に置かれると、突出部はその平らな表面上の光ディスクを持ち上げる台として機能する。結果として生じるギャップ即ち間隙は平らな表面上の汚染物質や平らな表面内の欠陥により光ディスクにダメージを与えることを防止するのに利用できる。突出部はディスクと平らな表面の間に十分な間隙を与えるような大きさに作られ、一方、突出部と光ディスクリーダとドライブの構成部品との間の干渉を最小限にする。光ディスクはまた一つ又は複数の窪みを含み、他のディスクの突出部を受容するような大きさに作られ構成される。これにより、光ディスクの積み重ねを容易にする。
2004538590.tif 000002
【特許請求の範囲】
【請求項１】
デジタルデータを記憶し読み出すために使用される光ディスクであって、内周部と外周部とを有し少なくとも光ディスクの第１表面が光を伝達することができる第１表面と第２表面と、前記第１表面及び第２表面の内周と外周の間に配置されて光ディスク第１の表面を貫通して光を輝かせることによりアクセス可能となるデジタルデータ記憶領域と、光ディスクの少なくとも第１の表面に位置し光ディスクに記憶されたデジタルデータの読み込みとの干渉を最小にするとともに光ディスクがその第１の表面をほぼ平らな表面に向けてそのほぼ平らな表面上に置かれる際に光ディスクの第１の表面とほぼ平らな表面との間に間隙を提供するような大きさに作られ構成された一つ又は複数の突出部とからなる光ディスク。
【請求項２】
一つ又は複数の突出部はデジタルデータを記憶する領域と光ディスクの外周の間の光ディスクの第１の表面に配置される請求項１記載の光ディスク。
【請求項３】
一つ又は複数の突出部はデジタルデータを記憶する領域と光ディスクの内周の間の光ディスクの第１の表面に配置される請求項１記載の光ディスク。
【請求項４】
一つ又は複数の突出部はデジタルデータを記憶する領域と光ディスクの内周及び外周の間の光ディスクの第１の表面に配置される請求項１記載の光ディスク。
【請求項５】
一つ又は複数の突出部は光ディスクの外周に隣接するデジタルデータ記憶領域に配置される請求項１記載の光ディスク。
【請求項６】
一つ又は複数の突出部が予め定義されたデータを有しない領域に配置される請求項１記載の光ディスク。
【請求項７】
一つ又は複数の突出部が光ディスクの厚みより低い高さである請求項１記載の光ディスク。
【請求項８】
一つ又は複数の突出部が光ディスクの厚みの２分の１とほぼ同じかそれより高さが低い請求項１記載の光ディスク。
【請求項９】
一つ又は複数の突出部が連続的であり、光ディスクの内周に外接する請求項１記載の光ディスク。
【請求項１０】
さらに、光ディスクの第２の表面に配置される窪みからなる請求項１記載の光ディスク。
【請求項１１】
窪みが一つ又は複数の突出部を収容するような大きさに作られ構成される請求項１０記載の光ディスク。
【請求項１２】
さらに、光ディスクの第２の表面に配置される一つ又は複数の突出部からなり、デジタルデータ読み取りとの干渉を最小限にするとともに光ディスクがその第２の表面をほぼ平らな表面に向けてそのほぼ平らな表面上に置かれる際にその光ディスクの第２の表面とほぼ平らな表面の間に間隙を与えるような大きさに作られ構成される請求項１記載の光ディスク。
【請求項１３】
デジタルデータを記憶し読み込むために使用される光ディスクを保護するシステムであって、そのシステムは、光ディスクの表面に付ける一つ又は複数の突出部からなり、その一つ又は複数の突出部はデジタルデータ読み込みとの干渉を最小化して光ディスクがその表面をほぼ平らな表面に向けてそのほぼ平らな表面上に置かれるとき、光ディスクの表面とほぼ平らな表面の間に間隙を与えるような大きさに作られ構成されることを特徴とする光ディスクを保護するシステム。
【請求項１４】
一つ又は複数の突出部が連続的で、光ディスクの内周に外接する請求項１３記載のシステム。
【請求項１５】
デジタルデータを記憶し読み込むために使用される光ディスクを保護する方法であって、デジタルデータ読み込みとの干渉を防止するとともに光ディスクがその第１の表面をほぼ平らな表面に向けてそのほぼ平らな表面上に置かれる際に光ディスクの第１の表面とほぼ平らな表面の間に間隙を与えるような大きさに作られ構成される一つ又は複数の突出部であって、光ディスクの少なくとも第１の表面に一つ又は複数の突出部を提供することからなる方法。
【請求項１６】
さらに、射出成形によって光ディスクの第１の表面上に突出部を形成することからなる請求項１５記載の方法。
【請求項１７】
さらに、接合によって光ディスクの第１の表面に突出部を付けることからなる請求項１５記載の方法。
【請求項１８】
はく押しによって光ディスクの第１の表面に突出部を形成することからなる請求項１５記載の方法。
【請求項１９】
さらに、光ディスクの第２の表面に突出部を与えることからなる請求項１５記載の方法。
【請求項２０】
射出成形によって光ディスクの第２の表面に窪みを形成することからなる請求項１５記載の方法。
【発明の詳細な説明】
【関連出願の参照】
【０００１】
本出願は、２００１年２月２１日に出願された米国仮出願番号第６０／２７０４３４号の利益を主張する。
【背景技術】
【０００２】
発明の分野
本発明は、デジタルデータの記憶と読み出し用の光ディスクと、この光ディスクを保護する方法に関する。
【０００３】
関連技術の説明
コンパクトディスク（ＣＤ）やデジタルビデオディスク（ＤＶＤ）等の光ディスクは、大量のデジタル情報（データ）を記憶し読み出す受容媒体となった。標準ＣＤ及びＤＶＤは同じ物理的大きさ（外径１２ｃｍ、厚さ１．２ｍｍ）を有し、しかしながら、それぞれが保持できるデータ量が主に異なっている。標準ＣＤはオーディオプログラムのおよそ７８３メガバイトまで記憶することができる。一方、ＤＶＤはマルチメディアプログラム（写真、ビデオ、オーディオ等）約４．３８ギガバイト（片面／単層ＤＶＤ）と１５．９ギガバイト（両面／２層ＤＶＤ）の間で保持できる。他の光学記憶ディスクは読み出し専用メモリコンパクトディスク（ＣＤ−ＲＯＭ）、追記型コンパクトディスク（ＣＤ―Ｒ）、追記型ＤＶＤ（ＤＶＤ−Ｒ）、書き換え可能コンパクトディスク（ＣＤ−ＲＷ）を含む。オーディオＣＤに物理的に類似しているが、ＣＤ−ＲＯＭ、ＣＤ−Ｒ、ＣＤ−ＲＷは、わずかに少ないデータ（すなわち、約７００メガバイト以下）を記憶することができる。なぜなら、各記憶容量の一部は、増大するエラー補正に関連するファイルシステムとデータによって使用されるからである。
【０００４】
光ディスクはデジタルデータを表示する大記憶容量を備える。ＣＤと単層ＤＶＤとにより、デジタル化された（二進法の）データが、ディスクの中心から外向きに螺旋状に進む連続トラックを画成するなめらかな領域（ランド）によって分離される微少なピットの列としてディスク上に符号化される。ＣＤ上の隣接するトラックは１６００ｎｍ離れており、最小ピット長は８３０ｎｍである。ＤＶＤは一部、隣接するトラック（７４０ｎｍ）間の距離を縮めることによるとともに、そして最小ピット長（４００−４４０ｎｍ）を減少させることにより大記憶容量を達成する。記録可能コンパクトディスク及び書き換え可能コンパクトディスクは、ＣＤ―Ｒ及びＣＤ−ＲＷ上の「ピット」がそれぞれ感光性有機色素層又は光励起性結晶層上に形成された「ダーク」スポットにより置換されることを除いては類似したデータ符号化を採用している。
【０００５】
光ディスクリーダ（ＣＤ又はＤＶＤプレイヤー、ＣＤ−ＲＯＭ、ＣＤ−Ｒ又はＣＤ−ＲＷドライブ等）は、レーザーピックアップアセンブリ及びトラッキングシステムを使用してデータを読み込む。再生中、レーザーピックアップアセンブリは、回転する光ディスク上に焦点を合わせてレーザービームを照射し、一方、トラッキングシステムはディスクの中心から外方向にレーザーピックアップアセンブリを移動させる。光リーダはデータ読み込み中にディスクの角速度を調整する。それによって単一トラック流のピットとランドが一定線形速度でレーザービームを通過させる。光ピックアップは検知器（例えば、フォトダイオードアレイ）を含み、これは光ディスクにより反射される全ての光を検知する。ランドに当たっているレーザー光は、ピット（又はダークスポット）に当たっているレーザー光より大きな強度で反射し、光を散乱する。光ディスクリーダは、検知した光強度のこれらの一時的な変化を二進法の流れに変換する。
【０００６】
光ディスクは相対的にシンプルであるがエレガントな構成を有する。デジタルビデオディスクは、例えば、射出成形によって個別に形成される一つ又は複数のプラスチック層（例えば、光勾配型ポリカーボネート）からなる。各層の一面は微少なピットとランドの螺旋トラックとして符号化したデータを含む。一方、残りの一面は実質的に平面である。層を組み立てるに先立って、ＤＶＤ製造業者は薄い金属層とともにピットとランドを含む表面を覆う。ＤＶＤの最外層となるプラスチック層は準反射型金で覆われ、一方、最内層となるプラスチック層はアルミニウムで覆われる。金を使用すると、レーザーピックアップアセンブリはＤＶＤの内側の層上に外側の層を通してレーザー光を当てることが可能になる。プラスチック層は以下のように準備される。各層はアクリルラッカーでコーティングされ、一緒にプレスされ、ディスクを形成するように加硫される。片面ディスクでは、ラベルは読み込みできない面（すなわち、ポリカーボネート層またはピットとランドを含む層の反対側）上に貼られる。オーディオＣＤとＣＤ−ＲＯＭは同様の方法で作られるが、金属層と比較的薄いアクリル層に積層される単ポリカーボネート層からなる。
【０００７】
磁気記憶媒体等の競合する技術と比べると、光ディスクは機械的には粗野で安価である。しかしながら、これらの利点に加えて、光ディスクは改良することができる。ポリカーボネートプラスチック層は優れた光学特性と良い寸法安定性を有するが、取り扱い中に傷がつくことがあり、それはディスク上に記憶されたデータを危うくすることがある。例えば、保護ケースからＣＤを取り出した後、ユーザーはしばしばポリカーボネートや読み込みできる面を下にして（ラベルの付いた面を上にして）テーブルの上や机の上等の比較的堅くて平らな表面にＣＤを置く。光ディスクはかなり薄いので、ユーザーはテーブルの上を横切ってＣＤを引きずることなくそれらを取上げることが難しいことがわかる。そうすると、テーブルの上面の堅い汚染物質及びテーブル表面の欠陥がポリカーボネートプラスチック層をひっかいたり、彫ったり、こすったりする。同様に、ユーザーはしばしばスペースを維持するためにＣＤを積み上げる。個々のＣＤ間に閉じ込められたほこりの粒子はまたその積み上げを取り扱う最中に個々のＣＤの表面を傷つける。ポリカーボネートの光学特性とディスク上誤り訂正は、表面かき傷の影響を減少させるのに利用できるが、ＣＤ表面への長期にわたって繰り返されるダメージはいくつかのデータを読み込み不能にする。
【０００８】
本発明は、先に述べた一つ又は複数の問題点を克服するか或いは少なくとも緩和する。
【発明の概要】
【０００９】
本発明は、ディスクの片面又は両面上に突出部或いは浮き上がり部を有する光ディスクを提供するものである。光ディスクがテーブル上やデスク上のような一般的に平面上に置かれると、突出部が台として作用し、その台は平面より上に光ディスクの束を上げる。結果として生じるギャップや間隙の存在により、ユーザーは光ディスクを平表面を横切ってディスクを引きずることなくつかんで取り上げることができ、さらに、光ディスクがテーブル上やデスク上を引きずられても、間隙の所在により平表面上内の汚染物質により或いは平表面上の欠陥により引き起こされる光ディスクの破損を防止することができる。突出部はディスクと平表面間の間隙を十分に提供するような大きさに設定され、一方、突出部と光ディスクリーダや駆動部の構成部品との間の干渉を防止し減少させる。その突出部は約１ｍｍ、すなわち標準コンパクトディスク（ＣＤ）又はデジタルビデオディスク（ＤＶＤ）の厚さまで高さが変動する。しかしながら、その突出部の高さは典型的に標準ＣＤ又はＤＶＤの厚さの約半分か（０．６ｍｍ）又はより小さい。加えて、突出部は、光ディスクの予め定義されたデータのない部分、例えばプログラム導出領域で、又はクランピング領域とプログラム導入領域間に、通常設けられる。従って、突出部はデータ記憶又は読み込みを妨害しない。しかしながら、一般的に、符号化されたデジタルデータが足りないと、突出部はディスクのデータ記憶（プログラム）領域に設置することができる。光ディスクはまた一つ又は複数の窪みを含むことができ、その窪みは他のディスクから突出部を受容するような大きさに作られ構成される。そして、光ディスクの積み上げを容易にする。
【００１０】
本発明はまた、光ディスクを保護するシステムと方法を含む。その光ディスクはデジタルデータを記憶し読み込むために使用される。そのシステムは、一つ又は複数の突出部又は浮き上がり部を含み、それらは光ディスクの表面に取り付けられる。突出部はデジタルデータ読み込みとの干渉を防止し又は最小化するように大きさに合わせて構成される。そして、光ディスクの表面がほぼ平らな表面に置かれると、光ディスクの表面とほぼ平らな表面との間に間隙を形成する大きさに合わせて構成される。同様に、その方法は、光ディスクの少なくとも片方の表面に一つ又は複数の突出部を形成することを含む。発明の進歩性として、突出部は大きさに合わせて形成され、デジタルデータ読み込みとの干渉を防ぎ、光ディスクとほぼ平らな表面との間に間隙を形成する寸法に合わせて構成される。突出部は、光ディスクの製作中に（すなわち、射出成形によって）形成されるか、或いは、接着技術によって光ディスクの表面に付着することができる。
【発明を実施するための最良の形態】
【００１１】
図１は、光ディスク１０の底面を示し、ダメージ（かき傷、彫り傷、擦り傷等）から光ディスク１０を保護する突出部、すなわち浮き上がり部の第１の組１２及び第２の組１４を有する。説明の都合上、標準オーディオコンパクトディスク（ＣＤ）に関して光ディスク１０の様々な実施例を述べるが、より少ない程度に、デジタルビデオディスク（ＤＶＤ）に関しても述べる。しかしながら、開示された発明は、オーディオＣＤ及びＤＶＤに限定されるものではなく、一般的にどの光ディスクにも適用される。この光ディスクはデジタルデータを記憶し読み込むために使用され、さらに読み出し専用メモリコンパクトディスク（ＣＤ−ＲＯＭ）、追記型コンパクトディスク（ＣＤ−Ｒ）、追記型ＤＶＤ（ＤＶＤ−Ｒ）、書き換え可能コンパクトディスク（ＣＤ−ＲＷ）、高密度蛍光多重層（ＦＭＤ）ＲＯＭメディア等を含む。
【００１２】
図１で示された光ディスク１０は、ほぼ平行な一対の第１表面１６と第２表面１８とからなる。図１に示されるように、第１表面１６及び第２表面１８はほぼ円形で同心の外周２０及び内周２２を有する。しかしながら、一般的に光ディスクの外周はどのような形状も想定することができる。先に述べた通り、デジタル化された（二進法の）データは、スムースエリア（ランド）によって中断される微少なピット（又はダークスポット）の列として光ディスク上に符号化され、このスムースエリアは、ディスク１０の中心から外向きに螺旋を描く連続的なトラック（又は同心円状のトラック）を画成する。図１で示される実施例では、符号化されたデータはデータ記憶（プログラム）領域２４内にあり、実質的に透明な第１（底）表面１６を介してレーザー光を光らせることによりアクセスすることができる。データ記憶領域２４は導入領域２６及び導出領域２８によって画成され、それらは第１表面１６の内周２２及び外周２０のそれぞれに隣接して配置される。標準オーディオＣＤに対して、導入及び導出領域はそれぞれ半径２３ｍｍ及び５８ｍｍで始まり、半径２５ｍｍ及び６０ｍｍで終端する。導入領域は典型的にデジタルサイレンス（データ無し）を主チャンネルに、そして光ディスクの目次をサブコードＱチャンネルに含む。導出領域２８は普通データを含まない。
【００１３】
図１で示されるように、突出部の第１組１２及び第２組１４は、光ディスク１０の予め画成されたデータを有しない領域に配置される。従って、突出部の最初の組１２は、導出領域２８内の光ディスク１０の第１表面１６に配置される。同様に、突出部の第２組１４はクランピング領域３０と導入領域２６との間の光ディスクの第１表面１６上に配置される。クランピング領域３０は一般的に光ディスク１０の一部に関連し、再生中及び記録中に（図５参照）、ディスクドライブ機構部に接触する。標準ＣＤ及びＤＶＤで、隆線はスタッキングリング３２として知られており、光ディスク１０の内周２２の周りを回り、クランピング領域３０の外半径を制限する。いくつかの実施例では、第２組の突出部１４をスタッキングリング３２に置換できる。
【００１４】
図１に示される突出部１２，１４はいずれも４つの独立した伸延突出部１２，１４からなり、個々の突出部の数及びそれらの分布は光ディスクの中で変化させることができる。図１に示す突出部１２、１４の組は導出領域２８内で及び導入領域２６に隣接して均一に分布される。これは再生中及び記録中に（回転する）光ディスク１０を安定化するのに利用される。さらに、突出部１２，１４の各組は並設され、全ての個々の第２突出部１４は、光ディスク１０の中心と隣接する二つの第１突出部１２とにより形成される角度の射線間のほぼ真ん中に位置する。後者の配置は光ディスク１０とディスク１０が置かれる平表面との間により均一な間隙を提供するものである。従って、所定の突出部の組（例えば、突出部１２の第１組）に対して、常に二つの隣接する突出部間での角度変位がおよそ２π／ｎとなるように突出部を配置することが望ましい。ここで、ｎはその組が属する突出部の数である。加えて、一般的に、隣接する第１突出部１２及び第２突出部１４間の角度変位がπ／ｎラジアンであるように第１及び第２の突出部を並設することが望ましい。このようにして、突出部の質量中心は光ディスクの回転中心（すなわちその内周内）の近傍に位置する。
【００１５】
他の実施例では、光ディスク１０は第１組の突出部１２を含むことができるが、第２組の突出部１４を含むことができず、あるいは、第２組の突出部１４を含むことはできるが、第１組の突出部１２を含まない。加えて、光ディスク１０は二組より多い突出部を含むことができる（図８）。光ディスクはどのような望ましい形状をも有する突出部をも使うことができ、球状部分、回転楕円部分、長円部分、四面体、四角錐、五面体、六面体等を含む。図１に示される独立した突出部１２，１４の他に、光ディスクは付加的に又は交互に一つ或いは複数の連続的突出部を含み、光ディスクの内周２２に外接し、クランピング領域３０に隣接して配置されるスタッキングリング３２の構成と同様である。しかしながら、連続的突出部は実質的にスタッキングリング３２より大きく、従って、光ディスク１０が平表面上に置かれると、平表面と光ディスク１０の底表面との間に間隙が発生する。
【００１６】
通常、予め画成されたデータを有しない領域内に突出部を配置することが望ましいが、突出部や浮き上がり部はまた、通常データ記憶用に残しておかれる領域に配置することができる。突出部は導出領域２８に隣接するデータ記憶領域２４内に配置することができ、但し、具体的な光ディスクがその領域にデータを含まないことを条件とする。これはしばしば記憶されたデータ量がその光ディスクのデータ記憶容量より少ない場合であるだろう。その理由は、ＣＤ及び単層ＤＶＤは、導入領域２６から外向きに螺旋形に進むトラックにデータを符号化するからである。
【００１７】
一般的に、突出部は光ディスク１０の第１の表面１６及び第２の表面１８両方に取着されるか又は形成することができる。データはその第１（底）表面１６を通して読み込まれるので、図１に示す光ディスク１０は第２（上）表面１８に配置される突出部を有しない。しかしながら、二層型ＤＶＤを使用すれば、データは実質的に透明な底面と上面を通して読み込むことができる。さらに、データが底面を通してのみアクセスされても、オーディオＣＤ、ＣＤ−ＲＯＭ、及びＣＤ−ＲＷの上面（ラベルのついた面）上の複数の軽微なかき傷は、データを一体的なものとして成立する。その理由は、金属化された反射層を保護するアクリル層はポリカーボネート層よりはるかに薄いからである。
【００１８】
図１の光ディスク１０は、第２の表面１８上に第１窪み３４及び第２窪み３６を有する。この窪みは突出部１２，１４を収容する大きさに作られる。図２及び図３でわかるように、それらの図は切断線２及び３で切断した光ディスク１０の拡大部分断面図をそれぞれ示しており、窪み３４，３６は突出部１２、１４に隣接して配置され、光ディスクを積み重ねることが容易になる。突出部１２，１４の高さは、窪み３４，３６の深さより大きく、これにより積み重ねられると間隙部又は間隙は隣接する光ディスク間に存在する。しかしながら、窪み３４，３６の大きさは隣接する光ディスク間の間隙が光ディスク１０の厚さの小さい部分となるように設定することが望ましいことに留意する必要がある。また、図３に示す隆線３２の高さが突出部１４の高さより実質的に低いことにも留意されたい。
【００１９】
図４はテーブル上又はデスク上のような平表面４０に置かれている二枚の光ディスク１０の重ね３８の側面図である。図４には示されていないが、光ディスク１０は図２及び図３で示されたような窪み３４，３６を有する。突出部１２，１４及び窪み３４，３６は光ディスク１０の重ね３８を安定化し、その表面１６，１８を破損する隣接する光ディスク１０の相対的な動きを最小化する。図１に示される突出部１２，１４のそれぞれの高さは突出部１２，１４の間では大きくは変化しない。その結果光ディスク１０の第１表面１６とテーブル上の平表面４０の間のギャップ即ち間隙４２はほぼ均一である。窪み３４，３６は突出部１２，１４の高さより浅いので、隣接する光ディスクの第１表面１６及び第２表面それぞれの間のギャップ即ち間隙４４は、光ディスク１０と平表面４０との間の間隙４２より小さい。にもかかわらず、隣接する光ディスク１０間の間隙４４はその表面１６、１８へのダメージを最小化するに十分である。
【００２０】
図４で示される実施例では、個々の突出部１２，１４の高さが光ディスク１０の厚さ（すなわち約１ｍｍ）に匹敵する。しかしながら、一般的に、突出部は光ディスク１０と平らな表面４０との間の十分な間隙を与えるサイズに作られている。一方、突出部１２，１４と光ディスクリーダ及びドライブの構成部品との間の干渉を最小化する。コンパクトディスク及びビデオディスクにとって、このことは突出部の高さが光ディスクの厚さより小さいことに相当する。もっと典型的には、突出部の高さが標準ＣＤ又はＤＶＤの厚さの約半分またはより小さいことに相当する。
【００２１】
図５は光ディスク１０’の変位を示し、それは光ディスクリーダ４６（プレイヤー）の一部内に間隙突出部又は浮き上がり部を有する。図５に示す光ディスク１０’は、複数組の突出部１２’を含み、これらはディスク１０’の外周２０に沿った第１表面１６と第２表面１８の両方に配置される。光ディスクリーダ４６は光ディスクドライブ４８を含み、これはモータ５０からなり、そのモータはその中心となる軸５２、圧盤５４、及びシリンダ状軸５６のまわりに光ディスク１０’を回転させる。そのシリンダ状軸５６は光ディスク１０’の内周（図示せず）を収容する大きさに形成される。ディスクドライブ４８はまた、ばね仕掛けのタブ５８を含み、そのタブはクランピング領域３０で圧盤５４に対して光ディスク１０’を押し込む。これによって再生中に光ディスク１０’を固定する。光ディスクリーダ４６はまた、ディスククレードル６０とハウジング６２とを備え、説明の都合上、断面図で示される。図５からわかるように、突出部１２’は光ディスクドライブ４８、ディスククレードル６０及び光リーダハウジング６２を含む光ディスクリーダ４６の構成部品と干渉するのを防ぐような大きさに設定される。
【００２２】
図１乃至５に示される突出部１２、１２’、１４及び窪み３４、３６は様々な方法で提供される。例えば、突出部１２、１２’、１４（及び窪み３４，３６）は光ディスク１０、１０’の製造中に射出成形により形成される。加えて、突出部１２、１２’、１４或いは浮き上がり部は光ディスク１０、１０’にその製造に続いて付設できる。利用できる付設方法は接着、熱溶接、摩擦接合、干渉接合等を含む。いくつかの実施例では、突出部１２、１２’、１４は熱硬化性或いは熱可塑性液体のポリマーが加えられ、このポリマーは化学的架橋結合又は冷却によって凝固する。他の実施例では、突出部１２、１２’、１４は、転写或いは自動接着性のストック材料として取着される。光ディスク１０、１０’の製造後に取着されると、突出部１２、１２’、１４は光ディスクのユーザーによって取着されるキットとして供給される。
【００２３】
市場供給業者はまた、はく押しによって突出部１２、１２’、１４を取着することができる。例えば、必要な形状を有する加熱された工具（ピン、ロッド等）を、図１乃至３の光ディスク１０の第２（上）表面１８に対して押圧し、窪み３４，３６及び対応する突出部１２、１４を第２表面１８、及び第１（底）表面１６上にそれぞれ形成することができる。
【００２４】
図６は、光ディスク１０”の底面図であって、突出部１２”或いは浮き上がり部を備え、光ディスク１０”の製造後に取着される。突出部１２”は締まりばめ又は摩擦接合によって、定位置に保持される。図１に示される突出部１２’のように、突出部１２”は光ディスク１０”の導出領域２８内に配置され、しかしながら、ディスクの外周２０からわずかに外向きに延在する。
【００２５】
図７は、図６の７−７線７拡大部分断面図であり、突出部１２”は光ディスクの第１表面１６及び第２表面１８の両面上に配置される。各突出部１２”は弾力性のある材料からなり、スロット６４を含み、これは光ディスク１０”の厚さよりわずかに小さい。インストールするために個々の突出部１２”は光ディスク１０”の外周２０上に切り取られ、スロット６４の壁６６と光ディスク１０”の表面１６、１８との間に摩擦によって定位置に保持される。
【００２６】
与えられた光ディスク１０、１０’、１０”上に、図１乃至図７までに示された複数組の突出部１２、１２’、１２”、１４、１４’の形状、高さ、及び方向を有するが、他の実施例では異なる物理的特徴を有する突出部組を設けることができる。
【００２７】
例えば、図８は、光ディスク１０'''の底面図であり、第１（底）表面１６上に第１、第２、及び第３の突出部又は浮き上がり部の組１２、１４、６８を有する。図１に示された突出部１２、１４の組のように、突出部の第１組１２'''及び第２組１４”は、導出領域２８内及び導入領域２６に隣接して環状帯に均一に分配される。加えて、突出部１２''',１４”の各組は変位され、個々の第２突出部１４”が、光ディスク１０'''の中心７０と隣接する２つの第１突出部１２'''によって形成される角度の射線間のほぼ中心に位置する。突出部１２''',１４”の両方の組は長円の一部のように形作られるが、その方向は異なっている。図８でわかるように、突出部１２'''の第１各組は、縦軸（主軸）７２を有し、実質的に第１の円７４に対する正接であり、それは第１組の突出部１２'''の中心を通る。対照的に、第２組の突出部１４'''の各組は縦軸７６を有し、第２円７８に対して実質的に垂線であり、その円は第２組の突出部１４'''の中心を通る。
【００２８】
異なる方向の他に、光ディスク１０'''は、異なる高さと形状を有する突出部を含む。例えば、突出部６８の第３組それぞれは光ディスク１０'''の導出領域２８内に配置され、２つの隣接する第１突出部１２'''間のほぼ中央に位置する。長円形の第１突出部組１２'''とは違って、第３突出部組６８のそれぞれは球形断面の形を有している。さらに、第３突出部組６８は同様の大きさを有しているが、それらの高さは実質的に第１突出部組１２'''及び第２突出部組１４”の高さより低い。例えば、第１突出部組１２'''と第２突出部組１４”は標準ＣＤ又はＤＶＤの厚さの２分の１にほぼ等しい高さ（例えば０．６ｍｍ）を有することができる。対照的に、突出部６８の第３組は標準ＣＤ又はＤＶＤの厚さの４分の１にほぼ等しい高さ（例えば０．３ｍｍ）を有することができる。
【００２９】
突出部組１２'''、１４”、６８の中で方向、形状、高さの違いはいくつかの利点を提供することができる。例えば、より小さい第３突出部組６８を使用すると第１突出部組１２'''により大きい間隔をあけることが可能になり、第１表面１６の保護に重大な影響を与えることはない。実質的に平らな表面上に光ディスク１０'''の第１表面１６を置き前記平らな表面と突き合わせると、第３突出部組６８は２つの面間の間隙を維持する作用を行ない、第１突出部組１２'''が形成する間隙より小さい間隙を提供する。第１突出部組１２'''の増大した間隔と第２突出部組１４”の半径の方向は、スロット挿入光ディスクリーダ及びドライブと第１突出部組１２'''及び第２突出部組１４”との間の干渉を最小化する作用を行なう。突出部１２'''、１４”、６８を上記の方法のいずれかを使って提供することができる。例えば、突出部１２'''、１４”、６８は光ディスク１０'''製造中に射出成形によって形成される。あるいは、光ディスク１０'''製造後に取着できる。
【００３０】
上記の説明は、説明となることを意図しており、制限することを意図していないと理解するべきである。説明を読むことにより、多くの実施例が当業者にとって明白である。従って、発明の技術的範囲は、説明ではなく、添付の請求項を参照すべきである。その請求項均等な範囲についても認められるべきである。特許出願、公開を含む全ての特許、情報、引例の開示は、発明の完全性を担保する目的で説明に加えた。
【図面の簡単な説明】
【００３１】
【図１】光ディスクの表面を保護する突出部又は浮き上がり部を有する光ディスクの底面図である。
【図２】図１の光ディスクの２−２線要部拡大断面図である。
【図３】図１の光ディスクの３−３線要部拡大断面図である。
【図４】テーブル上又はデスク上等の平表面上に置かれて積み重ねられた２枚の光ディスクの側面図である。
【図５】光ディスクリーダ又はプレイヤーの一部に間隙突出部或いは浮き上がり部を有する光ディスクの配置である。
【図６】突出部又は浮き上がり部を有する光ディスクの底面図であって、後続する光ディスクの製作に用いられる。
【図７】図６の光ディスクの７−７線要部拡大断面図である。
【図８】突出部又は浮き上がり部を有する光ディスクの別の実施例の底面図であって、異なる物理的特性、つまり形状、高さ、方向性を有する。
【図１】
2004538590.tif 000003
【図２】
2004538590.tif 000004
【図３】
2004538590.tif 000005
【図４】
2004538590.tif 000006
【図５】
2004538590.tif 000007
【図６】
2004538590.tif 000008
【図７】
2004538590.tif 000009
【図８】
2004538590.tif 000010
【国際公開パンフレット】
2004538590.tif 000011
2004538590.tif 000012
2004538590.tif 000013
2004538590.tif 000014
2004538590.tif 000015
2004538590.tif 000016
2004538590.tif 000017
2004538590.tif 000018
2004538590.tif 000019
2004538590.tif 000020
2004538590.tif 000021
2004538590.tif 000022
2004538590.tif 000023
2004538590.tif 000024
2004538590.tif 000025
2004538590.tif 000026
2004538590.tif 000027
2004538590.tif 000028
2004538590.tif 000029
2004538590.tif 000030
2004538590.tif 000031
2004538590.tif 000032
【国際公開パンフレット（コレクトバージョン）】
2004538590.tif 000033
2004538590.tif 000034
【国際調査報告】
2004538590.tif 000035
2004538590.tif 000036
2004538590.tif 000037